(57)【要約】【課題】運搬時や保管時に電源プラグの脱落を防止し、不具合の発生を防止すること。【解決手段】電気駆動のモータ３０と、モータ３０の回転軸３５と、回転軸３５の先端側に設けられたポンプ４０と、モータ３０とポンプ４０との間に設けられ、回転軸３５を軸支すると共にポンプ４０とモータ３０と連結するケーシングカバー５０と、ポンプ４０に取り付けら、モータ３０に電力を供給する電装箱２００と、電装箱２００に接続され、先端に電源プラグ２１１を有する電源コード２１０と、ケーシングカバー５０から回転軸３５の径方向に延設された支持部１０１と、支持部１０１に設けられ、回転軸３５の軸方向に平行な外壁面を有する持ち手１０３と、持ち手１０３に設けられ、電源プラグ２１１を着脱自在に保持する保持部１０４を備えている。【選択図】図１
2016050512.tif 000002
【特許請求の範囲】
【請求項１】
電気駆動のモータと、
このモータにその基端側が固定された回転軸と、
この回転軸の先端側に設けられたポンプと、
前記モータと前記ポンプとの間に設けられ、前記回転軸を軸支すると共に前記ポンプと前記モータと連結するケーシングと、
前記モータに取り付けられ、前記モータに電力を供給する電装箱と、
この電装箱に接続され、先端に電源プラグを有する電源コードと、
前記連結部から前記回転軸の径方向に延設された支持部と、
この支持部に設けられ、前記回転軸の軸方向に平行な外壁面を有する持ち手と、
この持ち手に設けられ、前記電源プラグを着脱自在に保持する保持部を備えていることを特徴とする可搬式ポンプ装置。
【請求項２】
前記持ち手は、半円筒状に形成されていることを特徴とする請求項１に記載の可搬式ポンプ装置。
【発明の詳細な説明】
【技術分野】
【０００１】
本発明は、容易に運搬を行える可搬式ポンプ装置に関する。
【背景技術】
【０００２】
単相１００Ｖ採用の可搬式ポンプ装置は、ポンプ本体が１５キログラム程度であり、その都度、使用する屋内外の任意の場所へ持ち運んで運転する。なお、ポンプ本体から商用電源に接続するための電源コードが出ており、運搬時・保管時にはポンプ本体に巻き付けたりしていた（例えば、特許文献１参照。）。
【先行技術文献】
【特許文献】
【０００３】
【特許文献１】特許５４４８６１４号公報
【発明の概要】
【発明が解決しようとする課題】
【０００４】
上述した可搬式ポンプ装置では、次のような問題があった。すなわち、電源コードがポンプ本体に巻き付けるだけであるため、運搬時に電源コードが解けることがあった。電源コードの先端には電源プラグが設けられており、屋外で用いる場合等は水に濡れたりして、錆びたり、短絡する等の問題があった。また、保管時にポンプ本体の下敷きになって、電源プラグの金属部分が変形して使用できなくなる虞があった。
【０００５】
そこで本発明は、運搬時や保管時に電源プラグの脱落を防止することで、不具合の発生の防止ができる可搬式ポンプ装置を提供することを目的としている。
【課題を解決するための手段】
【０００６】
前記課題を解決し目的を達成するために、本発明の可搬式ポンプ装置は次のように構成されている。
【０００７】
固定子及び回転子を有するモータと、このモータの回転子にその基端側が固定された回転軸と、この回転軸の先端側に設けられたポンプと、前記モータと前記ポンプとの間に設けられ、前記回転軸を軸支すると共に前記ポンプと前記モータと連結するケーシングと、前記モータに取り付けられ、前記モータに電力を供給する電装箱と、この電装箱に接続され、先端に電源プラグを有する電源コードと、前記連結部から前記回転軸の径方向に延設された支持部と、この支持部に設けられ、前記回転軸の軸方向に平行な外壁面を有する持ち手と、この持ち手に設けられ、前記電源プラグを着脱自在に保持する保持部を備えていることを特徴とする。
【発明の効果】
【０００８】
本発明によれば、運搬時や保管時に電源プラグの脱落を防止することで、不具合の発生の防止が可能となる。
【図面の簡単な説明】
【０００９】
【図１】本発明の一実施の形態に係る可搬式ポンプ装置を一部切欠して示す側面図。
【図２】同可搬式ポンプ装置をポンプ側から見た正面図。
【図３】同可搬式ポンプ装置に組み込まれたハンドルを示す正面図。
【図４】同ハンドルを図３におけるＩ−Ｉ線で切断し、矢印方向に見た断面図。
【図５】同ハンドルを図３におけるＩＩ−ＩＩ線で切断し、矢印方向に見た断面図。
【発明を実施するための形態】
【００１０】
図１は本発明の一実施の形態に係る可搬式ポンプ装置１０を一部切欠して示す側面図、図２は可搬式ポンプ装置１０をポンプ側から見た正面図、図３は可搬式ポンプ装置１０に組み込まれたハンドル１００を示す正面図、図４はハンドル１００を図３におけるＩ−Ｉ線で切断し、矢印方向に見た断面図、図５はハンドル１００を図３におけるＩＩ−ＩＩ線で切断し、矢印方向に見た断面図である。
【００１１】
可搬式ポンプ装置１０は、ステンレスパイプ等のベース部２０と、このベース部２０に取り付けられた電気駆動のモータ３０、ポンプ４０、ケーシングカバー５０と、ケーシングカバー５０に取り付けられたハンドル１００と、モータ３０の側面に取り付けられた電装箱２００とを備えている。なお、モータ３０、ポンプ４０、ケーシングカバー５０は、いずれも共通の回転軸３５によって同軸的に配置されている。
【００１２】
モータ３０は、固定子３１と、この固定子３１に基端側が取り付けられた回転軸３５とを備えている。
【００１３】
ポンプ４０は、ハウジング４１と、このハウジング４１に収容されると共に、回転軸３５の先端側が接続されたインペラ４２とを備えている。
【００１４】
ケーシングカバー５０は、円筒状の筐体５１と、この筐体５１の内部に設けられ、回転軸３５の中間部を支持する軸受部６０とを備えている。
【００１５】
ハンドル１００は、ケーシングカバー５０から回転軸３５の径方向に延設された支持部１０１を備えている。支持部１０１は、脚部１０２を有しており、脚部１０２に設けられた孔部１０２ａによってケーシングカバー５０にボルト止めされている。
【００１６】
支持部１０１の上部には、回転軸３５の軸方向に平行な外壁面を有する半円筒状の持ち手１０３と、この持ち手１０３に設けられた保持部１０４とを備えている。保持部１０４は、後述する電源プラグ２１１を着脱自在に保持する凹部１０４ａを備えている。凹部１０４ａの内径は電源コード２１０と外径とほぼ同じに設定されている。
【００１７】
電装箱２００は、モータ３０に電源を供給する機能を備えている。さらに、商用電源に電源コード２１０を介して接続されている。電源コード２１０の先端は電源プラグ２１１が取り付けられている。
【００１８】
このように構成された可搬式ポンプ装置１０では、運搬時や保管時にハンドル１００の支持部１０１に電源コード２１０を巻き付けると共に、電源プラグ２１０を凹部１０４ａを利用して保持部１０４に保持させる。これにより、電源プラグ２１０が脱落して、水に濡れたり、金属部分が曲がったりすることはない。また、ハンドル１００の持ち手１０３を持つことにより、容易に運搬を行うことができる。
【００１９】
また、持ち手１０３は半円筒状であるため、水平方向に対しても防護されている。したがって、水に濡れたり、作業者の手によって汚れたりする虞がない。万が一、水がはいっても両端が開放されているため、排水性が高い。
【００２０】
本発明によれば、運搬時や保管時に電源プラグの脱落を防止することで、不具合の発生の防止が可能となる。
【００２１】
なお、本発明は前記実施の形態に限定されるものではなく、本発明の要旨を逸脱しない範囲で種々変形実施可能であるのは勿論である。
【符号の説明】
【００２２】
１０…可搬式ポンプ装置、３０…モータ、４０…ポンプ、５０…ケーシングカバー、１００…ハンドル、１０１…支持部、１０３…持ち手、１０４…保持部、２００…電装箱、２１０…電源コード、２１１…電源プラグ。
【図３】
2016050512.tif 000003
【図４】
2016050512.tif 000004
【図５】
2016050512.tif 000005
【図１】
2016050512.tif 000006
【図２】
2016050512.tif 000007